(57)【要約】【課題】  レセプタクルから容易に分離されるように構成することにより、製品の信頼性及び耐久性を向上させることができる移動通信端末機用プラグコネクタを提供する。【解決手段】  移動通信端末機用プラグコネクタは、移動通信端末機１０のレセプタクル１３に挿入される挿入部４５を備える本体部４３と、挿入部４５の両側面に延長されるように本体部４３の内部に弾性的に揺動自在に設置され、挿入部４５がレセプタクル１３に挿入された状態を維持するロックユニットと、前記ロックユニットの揺動方向に対し垂直方向に移動自在に本体部４３に設置され、前記ロックユニットに均等な力を加えて前記ロックユニットの弾性的な揺動を発生させることにより、前記ロックユニットをレセプタクル１３から離脱させる解除ユニットとから構成される。【選択図】  図１
2006032338.tif 000002
【特許請求の範囲】
【請求項１】
移動通信端末機のレセプタクルに挿入される挿入部を備える本体部と、
前記挿入部の両側面に延長されるように前記本体部の内部に弾性的に揺動自在に設置され、前記挿入部が前記レセプタクルに挿入された状態を維持するロックユニットと、
前記ロックユニットの揺動方向に対し垂直方向に移動自在に前記本体部に設置され、前記ロックユニットに均等な力を加えて前記ロックユニットの弾性的な揺動を発生させることにより、前記ロックユニットを前記レセプタクルから離脱させる解除ユニットと、
を含むことを特徴とする移動通信端末機用プラグコネクタ。
【請求項２】
前記ロックユニットは、
弾性的に揺動自在に、各一端が前記本体部の内部に固定され、他端は前記挿入部の側面まで延長される１対のレバーと、
前記各レバーの他端の外側面に形成され、前記レセプタクルの内側面に形成された係止溝に係止されるフックと、
を含むことを特徴とする請求項１に記載の移動通信端末機用プラグコネクタ。
【請求項３】
前記レバーが、前記挿入部の側方向に揺動自在に設置されることを特徴とする請求項２に記載の移動通信端末機用プラグコネクタ。
【請求項４】
前記レバーが、弾性材質からなることを特徴とする請求項２に記載の移動通信端末機用プラグコネクタ。
【請求項５】
前記挿入部の両側面に、前記各レバーが揺動できるように所定の空間が形成されることを特徴とする請求項３に記載の移動通信端末機用プラグコネクタ。
【請求項６】
前記解除ユニットは、
前記本体部の外部に一部分が突出して外部から前記本体部の内部方向に垂直力を受けるボタン部と、
前記の垂直力が作用する方向に突成され、前記の垂直力の方向と直交する前記挿入部の側面内側方向に前記１対のレバーが弾性的に揺動するように、前記各レバーの一側面に押圧力を加える押圧部と、
を含むことを特徴とする請求項２に記載の移動通信端末機用プラグコネクタ。
【請求項７】
前記押圧部が、前記１対のレバーに均一な力を加えることを特徴とする請求項６に記載の移動通信端末機用プラグコネクタ。
【請求項８】
前記押圧部の端部が、断面積が次第に小さくなるように形成されることを特徴とする請求項６に記載の移動通信端末機用プラグコネクタ。
【請求項９】
前記押圧部が、前記ボタン部の縁部から延長形成されることを特徴とする請求項６に記載の移動通信端末機用プラグコネクタ。
【請求項１０】
前記解除ユニットは、外部からの前記の垂直力が解除されると、前記レバーの弾性復元力により元の位置に戻ることを特徴とする請求項６に記載の移動通信端末機用プラグコネクタ。
【請求項１１】
前記各レバーの一側面に、前記押圧部と当接して力が伝わる接触部が形成されることを特徴とする請求項６に記載の移動通信端末機用プラグコネクタ。
【請求項１２】
前記接触部が、前記各レバーの一側面から突出して形成されることを特徴とする請求項１１に記載の移動通信端末機用プラグコネクタ。
【請求項１３】
前記接触部の突出面が曲面状であることを特徴とする請求項１２に記載の移動通信端末機用プラグコネクタ。
【請求項１４】
前記各レバーの接触部と所定の間隔をおいて、前記押圧部をガイドする案内部が形成されることを特徴とする請求項１１に記載の移動通信端末機用プラグコネクタ。
【請求項１５】
前記押圧部が前記各レバーに力を加える前の前記案内部と前記接触部との間隔は、前記押圧部の厚さより小さいことを特徴とする請求項１４に記載の移動通信端末機用プラグコネクタ。
【請求項１６】
前記案内部が、前記本体部の内側面に形成されることを特徴とする請求項１４に記載の移動通信端末機用プラグコネクタ。
【請求項１７】
前記接触部と当接する前記押圧部の側面に突出部が形成されることを特徴とする請求項６に記載の移動通信端末機用プラグコネクタ。
【請求項１８】
移動通信端末機のレセプタクルに挿入される挿入部を備える本体部と、
弾性的に揺動自在に、一端は前記本体部の内部に固定され、他端は前記挿入部の側面に延長形成され、前記他端の一面には前記レセプタクルの内側面に形成された係止溝に係止されるフックが形成されて前記挿入部を前記レセプタクルに固定する１対のレバーと、
前記本体部の外部に一面が突出するように設置され、前記本体部の内部に位置する他面には、前記突出した一面に外部からの垂直力が作用すると前記各レバーの一側面に均一な押圧力を加える押圧部が形成されて、前記各レバーを前記レセプタクルの係止溝から離脱させる解除ユニットと、
を含むことを特徴とする移動通信端末機用プラグコネクタ。
【請求項１９】
前記押圧部の動作方向と前記レバーの動作方向とが垂直をなすことを特徴とする請求項１８に記載の移動通信端末機用プラグコネクタ。
【請求項２０】
前記各レバーの一側面に、前記押圧部と接触する接触部が形成されることを特徴とする請求項１８に記載の移動通信端末機用プラグコネクタ。
【請求項２１】
前記接触部が、前記各レバーの一側面から突出して形成されることを特徴とする請求項２０に記載の移動通信端末機用プラグコネクタ。
【請求項２２】
前記接触部の突出面が曲面状であることを特徴とする請求項２１に記載の移動通信端末機用プラグコネクタ。
【請求項２３】
前記接触部と所定の間隔をおいて、前記押圧部をガイドする案内部が形成されることを特徴とする請求項２０に記載の移動通信端末機用プラグコネクタ。
【請求項２４】
前記接触部と案内部との間隔は、前記押圧部からの押圧力が前記各レバーに伝わるように、前記押圧部の厚さより小さくすることを特徴とする請求項２３に記載の移動通信端末機用プラグコネクタ。
【発明の詳細な説明】
【技術分野】
【０００１】
本発明は、移動通信端末機用プラグコネクタに関し、特に、レセプタクルから容易に分離されるように構成された移動通信端末機用プラグコネクタに関する。
【背景技術】
【０００２】
携帯電話及びＰＤＡのような移動通信端末機には、コンピュータ、充電装置及びその他の付属装置のような外部装置に接続できるように、レセプタクルというソケットが備えられ、このレセプタクルにプラグコネクタが挿入されることによって、前記外部装置と電気的に接続される。
【０００３】
図７は、従来の移動通信端末機用プラグコネクタとレセプタクルを示す斜視図で、図８は、図７の従来の移動通信端末機用プラグコネクタの内部構造を示す断面図である。
【０００４】
図示のように、移動通信端末機１０の下端には、充電器のような外部装置のプラグコネクタ２１と接続するためのレセプタクル１３が備えられている。レセプタクル１３の内部には、プラグコネクタ２１と端末機の内部回路とを電気的に接続させる媒介体である複数の接続ピン１４が備えられている。
【０００５】
一方、プラグコネクタ２１は、レセプタクル１３の内部に挿入されて各接続ピン１４と電気的に接触する挿入部２５がその一端に形成されたプラグ本体２３と、挿入部２５の幅方向に沿って弾性変形自在にプラグ本体２３の内部に設置されて挿入部２５の両側面に沿って延長され、プラグコネクタ２１がレセプタクル１３に固定された状態を維持する２つのロックレバー３１と、プラグ本体２３の両側面に押圧操作可能にロックレバー３１と一体に形成され、プラグコネクタ２１の固定状態を解除する２つのプッシュボタン３５とから構成される。
【０００６】
挿入部２５の内部には、レセプタクル１３の各接続ピン１４に接触するように、複数の接続端子（図示せず）が備えられ、挿入部２５の両側縁部には、ロックレバー３１の一側がそれぞれ幅方向に沿って弾性変形自在に、逃げ空間部２７がそれぞれ形成されている。また、プラグ本体２３の他端には、前記接続端子と電気的に接続されるコード２８が備えられている。
【０００７】
レセプタクル１３に挿入される各ロックレバー３１の端部には、レセプタクル１３の内側面に形成された係止溝１５に係止されるように、フック３３がそれぞれ形成されている。
【０００８】
このように構成された従来の移動通信端末機用プラグコネクタは、以下のような動作により、レセプタクルとの結合とその解除が可能になる。
【０００９】
まず、プラグコネクタ２１をレセプタクル１３に接続する場合、プラグ本体２３を把持してその挿入部２５をレセプタクル１３の内部に挿入する。このとき、各フック３３は、レセプタクル１３の内側縁部と弾性的に接触して挿入され、挿入が完了すると、レセプタクル１３の内部に形成された係止溝１５に係止されて、プラグコネクタ２１がレセプタクル１３に固定される。
【００１０】
また、レセプタクル１３からプラグコネクタ２１を分離する場合は、プラグ本体２３の両側面に突出したプッシュボタン３５を同時に押す。このとき、各フック３３が係止溝１５から離脱して挿入部２５の両側面に形成された逃げ空間部２７に移動し、最終的に、挿入部２５が引き出されるようにプラグ本体２３を外す。
【発明の開示】
【発明が解決しようとする課題】
【００１１】
しかしながら、このような従来の移動通信端末機用プラグコネクタは、レセプタクルからの分離時、プラグ本体の両側面にそれぞれ配置されたプッシュボタンを同時に押した状態でプラグ本体を外すようになっているが、使用者が各プッシュボタンに同じ力を加えなかった場合、即ち、いずれか１つのプッシュボタンが弱く押された状態でプラグコネクタをレセプタクルから分離する場合、各ロックレバーの移動距離に差が生じる。結局、いずれか１つのフックが係止溝から完全に離脱していない状態でプラグコネクタを外すことになる。これにより、プラグコネクタは、リセプタクルから容易に分離されず、係止溝及びこれに係止されるフックに物理的な損傷が発生し、製品の信頼性及び耐久性に大きな欠陥が発生するという問題があった。
【００１２】
本発明は、このような従来技術の問題を解決するためになされたもので、レセプタクルから容易に分離されるように構成することにより、製品の信頼性及び耐久性を向上させることができる移動通信端末機用プラグコネクタを提供することを目的とする。
【課題を解決するための手段】
【００１３】
このような目的を達成するために、本発明による移動通信端末機用プラグコネクタは、移動通信端末機のレセプタクルに挿入される挿入部を備える本体部と、前記挿入部の両側面に延長されるように前記本体部の内部に弾性的に揺動自在に設置され、前記挿入部が前記レセプタクルに挿入された状態を維持するロックユニットと、前記ロックユニットの揺動方向に対し垂直方向に移動自在に前記本体部に設置され、前記ロックユニットに均等な力を加えて前記ロックユニットの弾性的な揺動を発生させることにより、前記ロックユニットを前記レセプタクルから離脱させる解除ユニットとを含むことを特徴とする。
【００１４】
上記目的を達成するために、本発明は、例えば、以下の手段を提供する。
（項目１）
移動通信端末機のレセプタクルに挿入される挿入部を備える本体部と、
前記挿入部の両側面に延長されるように前記本体部の内部に弾性的に揺動自在に設置され、前記挿入部が前記レセプタクルに挿入された状態を維持するロックユニットと、
前記ロックユニットの揺動方向に対し垂直方向に移動自在に前記本体部に設置され、前記ロックユニットに均等な力を加えて前記ロックユニットの弾性的な揺動を発生させることにより、前記ロックユニットを前記レセプタクルから離脱させる解除ユニットと、
を含むことを特徴とする移動通信端末機用プラグコネクタ。
（項目２）
前記ロックユニットは、
弾性的に揺動自在に、各一端が前記本体部の内部に固定され、他端は前記挿入部の側面まで延長される１対のレバーと、
前記各レバーの他端の外側面に形成され、前記レセプタクルの内側面に形成された係止溝に係止されるフックと、
を含むことを特徴とする項目１に記載の移動通信端末機用プラグコネクタ。
（項目３）
前記レバーが、前記挿入部の側方向に揺動自在に設置されることを特徴とする項目２に記載の移動通信端末機用プラグコネクタ。
（項目４）
前記レバーが、弾性材質からなることを特徴とする項目２に記載の移動通信端末機用プラグコネクタ。
（項目５）
前記挿入部の両側面に、前記各レバーが揺動できるように所定の空間が形成されることを特徴とする項目３に記載の移動通信端末機用プラグコネクタ。
（項目６）
前記解除ユニットは、
前記本体部の外部に一部分が突出して外部から前記本体部の内部方向に垂直力を受けるボタン部と、
前記の垂直力が作用する方向に突成され、前記の垂直力の方向と直交する前記挿入部の側面内側方向に前記１対のレバーが弾性的に揺動するように、前記各レバーの一側面に押圧力を加える押圧部と、
を含むことを特徴とする項目２に記載の移動通信端末機用プラグコネクタ。
（項目７）
前記押圧部が、前記１対のレバーに均一な力を加えることを特徴とする項目６に記載の移動通信端末機用プラグコネクタ。
（項目８）
前記押圧部の端部が、断面積が次第に小さくなるように形成されることを特徴とする項目６に記載の移動通信端末機用プラグコネクタ。
（項目９）
前記押圧部が、前記ボタン部の縁部から延長形成されることを特徴とする項目６に記載の移動通信端末機用プラグコネクタ。
（項目１０）
前記解除ユニットは、外部からの前記の垂直力が解除されると、前記レバーの弾性復元力により元の位置に戻ることを特徴とする項目６に記載の移動通信端末機用プラグコネクタ。
（項目１１）
前記各レバーの一側面に、前記押圧部と当接して力が伝わる接触部が形成されることを特徴とする項目６に記載の移動通信端末機用プラグコネクタ。
（項目１２）
前記接触部が、前記各レバーの一側面から突出して形成されることを特徴とする項目１１に記載の移動通信端末機用プラグコネクタ。
（項目１３）
前記接触部の突出面が曲面状であることを特徴とする項目１２に記載の移動通信端末機用プラグコネクタ。
（項目１４）
前記各レバーの接触部と所定の間隔をおいて、前記押圧部をガイドする案内部が形成されることを特徴とする項目１１に記載の移動通信端末機用プラグコネクタ。
（項目１５）
前記押圧部が前記各レバーに力を加える前の前記案内部と前記接触部との間隔は、前記押圧部の厚さより小さいことを特徴とする項目１４に記載の移動通信端末機用プラグコネクタ。
（項目１６）
前記案内部が、前記本体部の内側面に形成されることを特徴とする項目１４に記載の移動通信端末機用プラグコネクタ。
（項目１７）
前記接触部と当接する前記押圧部の側面に突出部が形成されることを特徴とする項目６に記載の移動通信端末機用プラグコネクタ。
（項目１８）
移動通信端末機のレセプタクルに挿入される挿入部を備える本体部と、
弾性的に揺動自在に、一端は前記本体部の内部に固定され、他端は前記挿入部の側面に延長形成され、前記他端の一面には前記レセプタクルの内側面に形成された係止溝に係止されるフックが形成されて前記挿入部を前記レセプタクルに固定する１対のレバーと、
前記本体部の外部に一面が突出するように設置され、前記本体部の内部に位置する他面には、前記突出した一面に外部からの垂直力が作用すると前記各レバーの一側面に均一な押圧力を加える押圧部が形成されて、前記各レバーを前記レセプタクルの係止溝から離脱させる解除ユニットと、
を含むことを特徴とする移動通信端末機用プラグコネクタ。
（項目１９）
前記押圧部の動作方向と前記レバーの動作方向とが垂直をなすことを特徴とする項目１８に記載の移動通信端末機用プラグコネクタ。
（項目２０）
前記各レバーの一側面に、前記押圧部と接触する接触部が形成されることを特徴とする項目１８に記載の移動通信端末機用プラグコネクタ。
（項目２１）
前記接触部が、前記各レバーの一側面から突出して形成されることを特徴とする項目２０に記載の移動通信端末機用プラグコネクタ。
（項目２２）
前記接触部の突出面が曲面状であることを特徴とする項目２１に記載の移動通信端末機用プラグコネクタ。
（項目２３）
前記接触部と所定の間隔をおいて、前記押圧部をガイドする案内部が形成されることを特徴とする項目２０に記載の移動通信端末機用プラグコネクタ。
（項目２４）
前記接触部と案内部との間隔は、前記押圧部からの押圧力が前記各レバーに伝わるように、前記押圧部の厚さより小さくすることを特徴とする項目２３に記載の移動通信端末機用プラグコネクタ。
【発明の効果】
【００１５】
本発明による移動通信端末機用プラグコネクタは、使用者がプラグ本体を把持した状態で押しやすいようにプラグ本体の一面にボタン部を露出して形成して、この１つのボタン部を押して１対のレバーに均一な力を同時に加えることができるように構成することにより、レバーのフックがレセプタクルの係止溝から完全に離脱しないためプラグコネクタがリセプタクルから容易に分離されない問題を解決することができる。
【００１６】
これにより、係止溝及びこれに係止されるフックに物理的な損傷が発生することを防止することができ、製品の信頼性と耐久性を向上させるという効果がある。
【００１７】
また、ボタン部が垂直方向（即ち、プラグ本体の高さ方向）に沿って移動し、これにより、各レバーが水平方向（即ち、プラグ本体の幅方向）に沿って同時に移動するように構成することにより、その構成が簡単になると共に操作性が向上するという効果がある。
【発明を実施するための最良の形態】
【００１８】
以下、添付の図面を参照して、本発明による移動通信端末機用プラグコネクタの好ましい実施形態について説明する。
【００１９】
図１は、本発明による移動通信端末機用プラグコネクタとレセプタクルを示す斜視図で、図２は、本発明による移動通信端末機用プラグコネクタのボタン部が除去された状態の内部構造を示す断面図で、図３は、図２の要部拡大図で、図４は、図２のVI−VI線断面図である。
【００２０】
ここで、従来と同様の構成要素には同一符号を付して説明する。
【００２１】
図示のように、本発明による移動通信端末機用プラグコネクタ１００は、移動通信端末機１０のレセプタクル１３に挿入される挿入部４５を備える本体部４３と、挿入部４５の両側面に延長されるように本体部４３の内部に弾性的に揺動自在に設置され、挿入部４５がレセプタクル１３に挿入された状態を維持するロックユニットと、前記ロックユニットの揺動方向に対し垂直方向に移動自在に本体部４３に設置され、前記ロックユニットに均等な力を加えて前記ロックユニットの弾性的な揺動を発生させることにより、前記ロックユニットをレセプタクル１３から離脱させる解除ユニットとから構成される。
【００２２】
前記ロックユニットは、弾性的に揺動自在に、各一端が本体部４３の内部に固定され、他端は挿入部４５の側面まで延長される１対のレバー５１と、各レバー５１の他端の外側面に形成され、レセプタクル１３の内側面に形成された係止溝１５に係止されるフック５３とをから構成される。
【００２３】
即ち、レバー５１は、本体部４３の内部にコイルバネのような固定部材により弾性的に揺動自在に設置され、挿入部４５の側方向（即ち、フック５３がレセプタクル１３の係止溝１５に係止される方向）に弾性復元力を有する。また、レバー５１は、ステンレススチールのような弾性材質からなることが好ましい。
【００２４】
また、各レバー５１が、フック５３が係止溝１５から離脱する方向に揺動できるように、挿入部４５の両側面には所定の空間４７が形成される。
【００２５】
レバー５１のフック５３をレセプタクル１３の係止溝１５から離脱させる前記解除ユニットは、本体部４３の外部に一部分が突出して外部から本体部４３の内部方向に垂直力を受けるボタン部６１と、前記の垂直力が作用する方向（即ち、ボタン部６１の下方）にボタン部６１の縁部から突出して延長形成され、各レバー５１の一側面に押圧力を加えてボタン部６１の移動方向と直交する挿入部４５の側面内側方向に１対のレバー５１を弾性的に揺動させることにより、レバー５１のフック５３をレセプタクル１３の係止溝１５から離脱させる押圧部６３とから構成される。
【００２６】
ボタン部６１は、本体部４３の一面に形成されたボタン孔４４を介して本体部４３の内部に結合される。
【００２７】
各レバー５１の一側面には、押圧部６３と当接して力が伝わる接触部５５が突成され、本体部４３の内側面には、接触部５５と所定の距離をおいて押圧部６３をガイドする案内部４９が形成される。
【００２８】
接触部５５は、各レバー５１の厚さ方向に沿って一側が陥没し他側が突出するように、プレス又はパンチングなどの塑性加工により形成することができる。
【００２９】
また、図４に示すように、押圧部６３が案内部４９に沿って本体部４３の幅方向に対し垂直方向（Ａ方向）に移動して、レバー５１の接触部５５に対し垂直方向（Ｂ方向）に垂直押圧力を加えることができるように、案内部４９と接触部５５との間隔ｄは押圧部６３の厚さＤより小さくしなければならない。即ち、押圧部６３の動作方向とレバー５１の動作方向とは垂直をなす。
【００３０】
また、押圧部６３による接触部５５への垂直押圧力が次第に大きくなるように、レバー５１の接触部５５の突出面は曲面に形成し、押圧部６３の端部も断面積が次第に小さくなるように形成することが好ましい。
【００３１】
一方、挿入部４５の他側には、挿入部４５内部の接続端子（図示せず）と接続されるコード４８が備えられている。
【００３２】
このように構成された本発明による移動通信端末機用プラグコネクタは次のように動作する。
【００３３】
プラグコネクタ１００の挿入部４５をレセプタクル１３の内部に挿入する場合、各レバー５１のフック５３は、レセプタクル１３の両側内壁に弾性的に接触して挿入され、挿入が完了すると、各レバー５１自体の弾性力により、各フック５３がレセプタクル１３の内側面に形成された係止溝１５に係止されることによって、プラグコネクタ１００は安全にレセプタクル１３に結合される。
【００３４】
逆に、プラグコネクタ１００をレセプタクル１３から分離する場合は、図５に示すように、プラグコネクタ１００を把持してボタン部６１を押す。このとき、ボタン部６１が本体部４３の内側に移動し、押圧部６３が案内部４９に沿って移動して、各レバー５１の接触部５５に均一な垂直押圧力が同時に加えられる。すると、各レバー５１は、ボタン部６１の移動方向に対し垂直方向（即ち、本体部４３の幅方向）に沿って内側に移動し、これにより、各レバー５１のフック５３がレセプタクル１３の係止溝１５から離脱して、挿入部４５の両側面に形成された空間４７に移動する。このような状態で、挿入部４５がレセプタクル１３から分離されるようにプラグコネクタ１００を外す。このように、プラグコネクタ１００を外した後、ボタン部６１に加えられる垂直力を除去すると、レバー５１の弾性復元力により、レバー５１とボタン部６１が両方とも元の位置に戻る。
【００３５】
一方、本発明による押圧部の変形例として、図６に示すように、レバー５１の接触部５５と当接する押圧部６３の側面の所定部分に、その長さ方向に突出部６５を形成することもできる。即ち、使用者がボタン部６１を押すと、押圧部６３が下方に移動することによって、接触部５５が突出部６５の頂点を経てから押圧部６３と接触部５５とがぶつかる音がする。これにより、使用者がボタン部６１を押したときのクリック感を出す。
【００３６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００３７】
レセプタクルから容易に分離されるように構成することにより、製品の信頼性及び耐久性を向上させることができる移動通信端末機用プラグコネクタを提供する。
【００３８】
移動通信端末機用プラグコネクタは、移動通信端末機１０のレセプタクル１３に挿入される挿入部４５を備える本体部４３と、挿入部４５の両側面に延長されるように本体部４３の内部に弾性的に揺動自在に設置され、挿入部４５がレセプタクル１３に挿入された状態を維持するロックユニットと、前記ロックユニットの揺動方向に対し垂直方向に移動自在に本体部４３に設置され、前記ロックユニットに均等な力を加えて前記ロックユニットの弾性的な揺動を発生させることにより、前記ロックユニットをレセプタクル１３から離脱させる解除ユニットとから構成される。
【図面の簡単な説明】
【００３９】
【図１】本発明による移動通信端末機用プラグコネクタとレセプタクルを示す斜視図である。
【図２】本発明による移動通信端末機用プラグコネクタのボタン部が除去された状態の内部構造を示す断面図である。
【図３】レバーの接触部と押圧部とが接触する状態を示す図２の要部拡大図である。
【図４】図２のVI−VI線断面図である。
【図５】本発明によるプラグコネクタの動作説明図である。
【図６】本発明によるプラグコネクタの押圧部の変形例を示す要部拡大図である。
【図７】従来の移動通信端末機用プラグコネクタとレセプタクルを示す斜視図である。
【図８】従来の移動通信端末機用プラグコネクタの内部構造を示す断面図である。
【図１】
2006032338.tif 000003
【図２】
2006032338.tif 000004
【図３】
2006032338.tif 000005
【図４】
2006032338.tif 000006
【図５】
2006032338.tif 000007
【図６】
2006032338.tif 000008
【図７】
2006032338.tif 000009
【図８】
2006032338.tif 000010